(57)【要約】【課題】付属品等の部品を収納して携帯機器等と共に携帯でき、使用者の利便性を向上させる。【解決手段】ストラップ１０は、一端部及び他端部の両端部間における長手方向の中央部が内側に折り畳み可能な構造になっているストラップ本体１１と、このストラップ本体１１の内側における両端部付近にそれぞれ設けられた袋状の部品収納部１２，１３と、ストラップ本体１１の内側における両端部にそれぞれ設けられた着脱自在の接合部１４，１５とを有している。更に、ストラップ１０は、ストラップ本体１１の外側における中央部に取り付けられた吊着用の係止紐と、ストラップ本体１１における中央部と両端部との間にそれぞれ形成され、両端部の解放状態下においてほぼ板状の物品を係止して立て掛けた状態に保持する係止凹部１８，１９とを有している。【選択図】図１
0003151900.tif 000002
【実用新案登録請求の範囲】
【請求項１】
一端部及び他端部の両端部間における長手方向の中央部が内側に折り畳み可能な構造になっているストラップ本体と、
前記ストラップ本体の内側における前記両端部付近にそれぞれ設けられた袋状の部品収納部と、
前記ストラップ本体の内側における前記両端部にそれぞれ設けられた着脱自在の接合部と、
前記ストラップ本体の外側における前記中央部に取り付けられた吊着用の係止紐と、
前記ストラップ本体における前記中央部と前記両端部との間にそれぞれ形成され、前記両端部の解放状態下においてほぼ板状の物品を係止して立て掛けた状態に保持する係止凹部と、
を有することを特徴とするストラップ。
【請求項２】
前記ストラップ本体は、柔軟性を有する材料により形成されていることを特徴とする請求項１記載のストラップ。
【請求項３】
前記接合部は、ホックボタン、面ファスナー、又は磁石を含む接合部材により構成されていることを特徴とする請求項１又は２記載のストラップ。
【請求項４】
前記係止紐は、着脱自在の構成になっていることを特徴とする請求項１〜３のいずれか１項に記載のストラップ。
【請求項５】
前記物品は、携帯電話機、携帯音楽再生装置を含む携帯機器であり、
前記部品は、前記携帯機器に付属する変換アダプタ、イヤホンを含む付属品であることを特徴とする請求項１〜４のいずれか１項に記載のストラップ。
【請求項６】
前記係止凹部は、配線コードの巻着可能な構成になっていることを特徴とする請求項５記載のストラップ。
【考案の詳細な説明】
【技術分野】
【０００１】
本考案は、携帯電話機、携帯音楽再生装置等の携帯機器等に吊着されてその付属品等を収納できるストラップに関するものである。
【背景技術】
【０００２】
従来、例えば、鍵を収納できるストラップは、下記の特許文献１に開示されている。このストラップは、帯状のストラップ本体を有し、このストラップ本体の内側に、鍵を収納するための袋状の収納部が設けられている。ストラップ本体の一端には、吊着用の係止紐が取り付けられている。更に、ストラップ本体の内側の両端には、このストラップ本体を中央部から内側に折り畳んだ際に、両端部を接合するためのホックボタンが取り付けられている。
【０００３】
この種のストラップでは、ストラップ本体の内側の収納部に鍵を収納し、ストラップ本体の中央部を内側に取り畳んでホックボタンでストラップ本体の両端を接合し、持ち運びに便利な構成になっている。
【先行技術文献】
【特許文献】
【０００４】
【特許文献１】特開２００４−１９１４８号公報
【考案の概要】
【考案が解決しようとする課題】
【０００５】
しかしながら、従来のストラップでは、収納するものが鍵に限られているので、用途が限定されて使い勝手が悪い。更に、ストラップ本体の一端に、吊着用の係止紐が取り付けられ、この係止紐の取り付け箇所付近で、内側に折り畳まれたストラップ本体の両端がホックボタンにより接合される構成であるため、使用時において、ストラップに加重が加わると、ホックボタンが外れやすく、収納物である鍵が飛び出してしまう、という不都合があった。
【課題を解決するための手段】
【０００６】
本考案のストラップは、一端部及び他端部の両端部間における長手方向の中央部が内側に折り畳み可能な構造になっているストラップ本体と、前記ストラップ本体の内側における前記両端部付近にそれぞれ設けられた袋状の部品収納部と、前記ストラップ本体の内側における前記両端部にそれぞれ設けられた着脱自在の接合部と、前記ストラップ本体の外側における前記中央部に取り付けられた吊着用の係止紐と、前記ストラップ本体における前記中央部と前記両端部との間にそれぞれ形成され、前記両端部の解放状態下においてほぼ板状の物品を係止して立て掛けた状態に保持する係止凹部とを有することを特徴とする。
【考案の効果】
【０００７】
本考案のストラップによれば、次の（１）〜（４）のような効果がある。
【０００８】
（１）  付属品等の部品を部品収納部に収納して携帯機器等と共に携帯できるので、使用上、便利である。しかも、部品収納部は、用途が限定されていないので、付属品以外の部品を収納して携帯できるため、便利である。
【０００９】
（２）  付属品等の部品が、例えば配線コード付きイヤホン等の場合、イヤホン本体等を部品収納部に収納し、配線コードをストラップの外側から係止凹部に巻着して携帯することも可能である。
【００１０】
（３）  ストラップの中央部に係止紐が取り付けられ、両端部の内側が接合部で接合されるので、ストラップに加重が加わっても、接合部が簡単に外れることがなく、収納部品の飛び出しによる紛失を防止できる。
【００１１】
（４）  ストラップは携帯機器等の物品に対して着脱ができ、このストラップの両端部を開いて物品を係止凹部に嵌入すれば、物品を立て掛けることができる。つまり、ストラップは、物品のスタンドにもなり、使用者の利便性が向上する。
【図面の簡単な説明】
【００１２】
【図１】図１は本考案の実施例１におけるストラップを示す構成図である。
【図２】図２は本考案の実施例１におけるストラップの使用状態の例を示す概略の構成図である。
【考案を実施するための形態】
【００１３】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１４】
（実施例１の構成）
図２は、本考案の実施例１におけるストラップの使用状態の例を示す概略の構成図である。
【００１５】
このストラップ１０は、物品である携帯機器（例えば、携帯端末機向け地上デジタル放送である、いわゆるワンセグに対応したテレビジョン放送受信可能な携帯電話機）２０に吊着されるものである。携帯電話機２０は、ほぼ厚い板状の電話機本体２１を有している。電話機本体２１の表面において、下部には、複数のスイッチ等を有する操作部２２が設けられ、この上部に、表示部２３が設けられている。更に、電話機本体２１の側面には、ストラップ１０を吊着するための引掛部２４が設けられている。
【００１６】
図１（ａ）、（ｂ）は、本考案の実施例１におけるストラップを示す構成図であり、同図（ａ）は斜視図、及び同図（ｂ）は同図（ａ）の正面図である。
【００１７】
このストラップ１０は、柔軟性を有する材料（例えば、皮革、合成樹脂等）により中央部で連結された２枚のほぼ羽子板状に形成されたストラップ本体１１を有している。ストラップ本体１１は、一端部１１ａ及び他端部１１ｂの両端部１１ａ，１１ｂ間における長手方向の中央部１１ｃが内側に折り畳み可能な構造になっている。
【００１８】
ストラップ本体１１の内側における両端部１１ａ，１１ｂ付近には、袋状の部品収納部１２，１３がそれぞれ設けられている。部品収納部１２，１３は、部品（例えば、携帯電話機２０に付属する変換アダプタ、イヤホン等の付属品）３０を挿入して収納するものであり、全体が柔軟な材料、あるいは伸縮性の材料等で形成されている。
【００１９】
ストラップ本体１１の内側における両端部１１ａ，１１ｂには、接合部材であるホックボタン等の接合部１４，１５が取り付けられている。接合部１４，１５は、ストラップ本体１１を中央部１１ｃにおいて内側に折り畳んだ際に両端部１１ａ，１１ｂの内側を着脱自在に接合するものである。ストラップ本体１１の中央部１１ｃには、固定部材１６が装着され、この固定部材１６により、ストラップ本体１１の外側に吊着用の係止紐１７が取り付けられている。
【００２０】
ストラップ本体１１における中央部１１ｃと両端部１１ａ，１１ｂとの間には、その両端部１１ａ，１１ｂの解放状態下において携帯電話機２０を係止して立て掛けた状態に保持する係止凹部１８，１９がそれぞれ形成されている。各係止凹部１８，１９は、後方斜め上方向に切り欠いた形状をなし、両端部１１ａ，１１ｂを解放した状態で、この各係止凹部１８，１９に携帯電話機２０の側面を嵌入することにより、この携帯電話機２０の表面を斜め上方向へ立て掛けた状態で保持する機能を有している。
【００２１】
（実施例１の使用例）
ストラップ１０を携帯電話機２０に吊着して使用する場合、ストラップ本体１１における中央部１１ｃの外側に取り付けられた係止紐１７を、携帯電話機２０の引掛部２４に結び付ける。ストラップ本体１１の中央部１１ｃを基準にして両端部１１ａ，１１ｂを開き、携帯電話機２０の変換アダプタ、イヤホン等の付属品３０を部品収納部１２，１３に収納し、両端部１１ａ，１１ｂを閉じて内側を接合部１４，１５で接合する。これにより、ストラップ１０が携帯電話機２０に吊着され、携帯が可能になる。
【００２２】
携帯電話機２０で音楽・ワンセグテレビジョン視聴時等に付属品３０を使用する場合、接合部１４，１５を外してストラップ本体１１の両端部１１ａ，１１ｂを開き、部品収納部１２，１３から付属品３０を取り出し、携帯電話機２０に装着すれば、付属品３０の使用が可能になる。又、係止紐１７から携帯電話機２０を取り外し、ストラップ本体１１の両端部１１ａ，１１ｂを数１０°開き、２つの係止凹部１８，１９内に携帯電話機２０の側面を嵌入すれば、携帯電話機２０の表面が斜め上向きに立て掛けられ、音楽・ワンセグテレビジョン視聴時に便利である。
【００２３】
（実施例１の効果）
本実施例１のストラップ１０によれば、次の（１）〜（４）のような効果がある。
【００２４】
（１）  従来、携帯電話機器で音楽・ワンセグテレビジョン視聴時に使用する変換アダプタ、イヤホン等の付属品が、携帯電話機と別部品のため、使用したい時に、携帯電話機と別に付属品を携帯する必要があり、不利不便である。これに対し、本実施例１のストラップ１０を使用すれば、付属品３０を部品収納部１２，１３に収納して携帯電話機２０と共に携帯できるので、使用上、便利である。しかも、部品収納部１２，１３は、用途が限定されていないので、付属品３０以外の部品を収納して携帯できるため、便利である。
【００２５】
（２）  付属品３０が、例えば配線コード付きイヤホン等の場合、イヤホン本体等を部品収納部１２，１３に収納し、配線コードをストラップ１１の外側から係止凹部１８，１９に巻着して携帯することも可能である。
【００２６】
（３）  ストラップ１０の中央部１１ｃに係止紐１７が取り付けられ、両端部１１ａ，１１ｂの内側が接合部１４，１５で接合されるので、ストラップ１０に加重が加わっても、接合部１４，１５が簡単に外れることがなく、収納部品の飛び出しによる紛失を防止できる。
【００２７】
（４）  ストラップ１０は携帯電話機２０に対して着脱ができ、このストラップ１０の両端部１１ａ，１１ｂを数１０°開いて携帯電話機２０の側面を係止凹部１８，１９に嵌入すれば、携帯電話機２０の表面を斜め上向きに立て掛けることができる。つまり、ストラップ１０は、携帯電話機２０の視聴用スタンドにもなり、使用者の利便性が向上する。
【００２８】
（変形例）
本考案は、上記実施例１に限定されず、種々の利用形態や変形が可能である。この利用形態や変形例としては、例えば、次の（ａ）〜（ｄ）のようなものがある。
【００２９】
（ａ）  ストラップ本体１１は、図示の形状や構造に限定されず、全体をほぼ帯状の形状にし、そこに係止凹部１８，１９を形成した構造にしてもよい。又、係止凹部１８，１９は、長手方向に対して垂直方向等の他の方向に形成してもよい。
【００３０】
（ｂ）  接合部１４，１５は、ホックボタンに代えて、面ファスナーや磁石等の他の接合部材で構成してもよい。
【００３１】
（ｃ）  係止紐１７は、ストラップ本体１１に対して着脱自在に取り付ける構造に変更してもよい。これにより、使い勝手がより向上する。
【００３２】
（ｄ）  ストラップ１０は、携帯電話機以外の携帯音楽再生装置等の他の携帯機器、あるいはその他の物品にも吊着できる。
【符号の説明】
【００３３】
１０      ストラップ
１１      ストラップ本体
１２，１３      部品収納部
１４，１５      接合部
１７      係止紐
１８，１９      係止凹部
２０      携帯電話機
３０      付属品
【図１】
0003151900.tif 000003
【図２】
0003151900.tif 000004